(57)【要約】【課題】カーテンウォールの層間区画を構成する作業性の良いカーテンウォール用耐火ボード、及び取り付け強度の高い耐火ボード支持構造を提供する。【解決手段】カーテンウォール用耐火ボード１０の板材１２には凹部２０が形成され、凹部２０の内部には接合金具１６が取付けられている。接合金具１６は、凹部２０の底壁と当接する平面部１８を有し、平面部１８にはナット１４の端部が接合されている。接合金具１６は平面部１８の端部から立ち上げられ、凹部２０の周壁と接合される立上部２６を有し、ネジ２２で周壁に接合されている。凹部２０の開口部は化粧板２８で塞がれている。カーテンウォール用耐火ボード１０は、ナット１４の挿入口側を建物側（矢印Ａの方向）に向けて配置され、取付金具３２の取付孔３３に挿入されたボルト３６とナット１４を螺合して、支持されている。即ち、取り付け金具３２を介して建物躯体から支持される。【選択図】図４
2010065397.tif 000002
【特許請求の範囲】
【請求項１】
板面に凹部が設けられた耐火用の板材と、
前記凹部の底壁と当接する平面部と、前記平面部の端部から立ち上げられ、前記凹部の周壁と接合される立上部とを有する接合部材と、
前記平面部に端部が接合されたナットと、
を有するカーテンウォール用耐火ボード。
【請求項２】
前記接合部材の立上部から前記凹部の周壁に向けて固定部材を差し込んで、前記立上部と前記周壁とを接合する請求項１に記載のカーテンウォール用耐火ボード。
【請求項３】
前記凹部を塞ぐ化粧板を有し、
前記化粧板には、前記ナットと螺合されるボルトが挿入される貫通孔が設けられている請求項１又は２に記載のカーテンウォール用耐火ボード。
【請求項４】
前記カーテンウォール用耐火ボードに用いられる耐火用の板材が繊維混入けい酸カルシウム板である請求項１〜３のいずれか１項に記載の耐火ボード。
【請求項５】
請求項１〜４のいずれか１項に記載のカーテンウォール用耐火ボードと、
建物の構造部材に固定された取付金具と、
前記取付金具に形成された取付孔へ挿入され、前記ナットと螺合するボルトと、
を有する耐火ボード支持構造。
【請求項６】
一端に前記カーテンウォール用耐火ボードの下部端面を下側から保持する保持部を備え、他端に前記ボルトが挿入される貫通孔が設けられた耐火ボード保持部材を有し、
前記取付孔へ挿入されたボルトが前記貫通孔を貫通する請求項５に記載の耐火ボード支持構造。
【請求項７】
前記カーテンウォール用耐火ボードの背面を支持すると共に、前記ボルトが挿入される貫通孔が設けられた背面部と、前記背面部の上端部と下端部に形成され、前記カーテンウォール用耐火ボードの上部端面と下部端面を外側から保持する保持部を備えた耐火ボード保持部材を有し、
前記取付孔へ挿入されたボルトが前記貫通孔を貫通する請求項５に記載の耐火ボード支持構造。
【請求項８】
前記耐火ボード保持部材と前記カーテンウォール用耐火ボードの間には、緩衝材が取付けられている請求項６又は７に記載の耐火ボード支持構造。
【請求項９】
前記カーテンウォール用耐火ボードに用いられる耐火用の板材が繊維混入けい酸カルシウム板である請求項５〜８のいずれか１項に記載の耐火ボード支持構造。
【発明の詳細な説明】
【技術分野】
【０００１】
本発明は、カーテンウォール用耐火ボード、及び耐火ボードの支持構造に関する。
【背景技術】
【０００２】
建築基準法では、一定の高さ及び規模を超える建物に使用されるカーテンウォールに関し、上下階の窓と窓の間の部分（以下スパンドレルという。）については、外壁に対する技術的基準を適用し、上階への延焼防止を目的として、高さ９００ｍｍ以上の層間区画部材を設けることを義務づけている。
【０００３】
アルミカーテンウォールでは、一般に、スパンドレル部分に層間区画部材としてカーテンウォール用耐火ボードを取付ける方法が用いられている。ここに、カーテンウォール用耐火ボードは、繊維混入けい酸カルシウム板等で成形され、カーテンウォール用耐火ボードの取り付けは、アルミカーテンウォールのアルミ枠（方立と無目材）に挟み込む方法が用いられている。
【０００４】
しかし、アルミ枠は耐火性能が低いため、カーテンウォール用耐火ボードの取付け強度を高めることを目的として、アルミ枠に挟み込む固定方法に加え、スラブ等の建物の構造部材に取付金具を固定し、カーテンウォール用耐火ボードにはインサートナット（鬼目ナット）を埋め込み、取付金物に設けた取付孔に挿入したボルトと、カーテンウォール用耐火ボードに埋め込まれたインサートナットを螺合させて、カーテンウォール用耐火ボードを支持する支持構造が提案されている（特許文献１）。
【０００５】
しかし、特許文献１の支持構造では、カーテンウォール用耐火ボードは繊維混入けい酸カルシウム板、石膏ボード、ロックウールボード、セラミックファイバーボード等の柔らかい材料（脆い材料）で形成されていることが多い為、施工現場でのカーテンウォール用耐火ボードへのインサートナットの埋め込み作業に慎重な取り扱いが要求され、作業性が悪いという問題がある。このため、作業性の良いカーテンウォール用耐火ボードが求められている。
【０００６】
また、特許文献１の支持構造では、カーテンウォール用耐火ボードにインサートナットを埋め込む構成であることから、カーテンウォール用耐火ボードとインサートナットとの接合部の接合強度が、カーテンウォール用耐火ボードの機械的強度に大きく影響されるという問題がある。耐火ボードには前記のような機械的強度があまり高くない材料が用いられるため、接合部の強度があまり期待出来ない。取付け強度の高い耐火ボードの支持構造が求められている。
【特許文献１】特開平７−３２４４１５号公報
【発明の開示】
【発明が解決しようとする課題】
【０００７】
本発明は、上記事実に鑑み、カーテンウォールの層間区画を構成する作業性の良いカーテンウォール用耐火ボード、及び取り付け強度の高い耐火ボード支持構造を提供することを目的とする。
【課題を解決するための手段】
【０００８】
請求項１に記載の発明に係るカーテンウォール用耐火ボードは、板面に凹部が設けられた耐火用の板材と、前記凹部の底壁と当接する平面部と、前記平面部の端部から立ち上げられ、前記凹部の周壁と接合される立上部とを有する接合部材と、前記平面部に端部が接合されたナットと、を有することを特徴としている。
【０００９】
請求項１に記載の発明によれば、耐火用の板材の板面に設けられた凹部の底壁と接合部材の平面部が当接し、凹部の周壁と接合部材の立上部が接合される。また、接合部材の平面部にはナットが接合されている。
【００１０】
請求項１に記載のカーテンウォール用耐火ボードは、板材に予めナットが接合されており、施工現場でのナットの埋め込み作業が不要となる。これにより、施工性の良いカーテンウォール用耐火ボードが提供できる。
【００１１】
また、ナットは接合部材の平面部に固定されており、平面部は凹部の底壁と当接している。このため、平面部の面積を増せば、平面部とカーテンウォール用耐火ボードとの接合面積を広く確保でき、カーテンウォール用耐火ボードが風や地震等の外力を受けても、カーテンウォール用耐火ボードに加えられた力を分散して接合部材に伝えることができる。また、底壁の板厚が小さくても、周壁面で力を伝えるので、カーテンウォール用耐火ボードの支持性能を高めることができる。
【００１２】
更に、カーテンウォール用耐火ボードの片側のみに接合部材が取り付けられるため、接合部材が取り付けられていない側の板面をそのまま仕上げ面とすることができ、仕上げの手間が省ける。また、耐火用の板材としては繊維混入けい酸カルシウム板、石膏ボード、ロックウールボード、セラミックファイバーボード、ＡＬＣ等の既存の耐火板を利用できるが、中でも耐火性や加工性の点から繊維混入けい酸カルシウム板が好ましい。
【００１３】
請求項２に記載の発明は、請求項１に記載のカーテンウォール用耐火ボードにおいて、前記接合部材の立上部から前記凹部の周壁に向けて固定部材を差し込んで、前記立上部と前記周壁とを接合することを特徴としている。
【００１４】
請求項２に記載の発明によれば、接合部材の立上部から凹部の周壁に向けて、固定部材が差し込まれ、固定部材で立上部と周壁が接合されている。これにより、固定部材の使用本数と固定部材の長さを調節することで、立上部と周壁の接合強度を調節できる。
【００１５】
請求項３に記載の発明は、請求項１又は２に記載のカーテンウォール用耐火ボードにおいて、前記凹部を塞ぐ化粧板を有し、前記化粧板には、前記ナットと螺合されるボルトが挿入される貫通孔が設けられていることを特徴としている。
【００１６】
請求項３に記載の発明によれば、凹部は化粧板で塞がれ、化粧板には、ナットと螺合されるボルトが挿入される貫通孔が設けられている。
これにより、化粧板で接合部材が隠され、カーテンウォール用耐火ボードの表面の見栄えが良くなる。
【００１７】
請求項４に記載の発明は、請求項１〜３のいずれか１項に記載の耐火ボードにおいて、  前記カーテンウォール用耐火ボードに用いられる耐火用の板材が繊維混入けい酸カルシウム板であることを特徴としている。
請求項４に記載の発明によれば、カーテンウォール用耐火ボードに用いられる耐火用の板材が繊維混入けい酸カルシウム板とされている。これにより、耐火性や加工性のよいカーテンウォール用耐火ボードが提供できる。
【００１８】
請求項５に記載の発明に係る耐火ボード支持構造は、請求項１〜４のいずれか１項に記載のカーテンウォール用耐火ボードと、建物の構造部材に固定された取付金具と、前記取付金具に形成された取付孔へ挿入され、前記ナットと螺合するボルトと、を有することを特徴としている。
【００１９】
請求項５に記載の発明によれば、建物の構造部材に固定された取付金具の取付孔にボルトを挿入し、カーテンウォール用耐火ボードのナットとボルトを螺合させることで、カーテンウォール用耐火ボードを取付金具で支持することができる。
このように、建物の構造部材に固定された取付金具で、カーテンウォール用耐火ボードを直接に支持するため、アルミ枠に挟み込む方法に比べ、カーテンウォール用耐火ボードの取付け強度を高めることができる。
【００２０】
また、風や地震等の外力が作用しても、カーテンウォール用耐火ボードのナットは、凹部に取付けられた取付金具でカーテンウォール用耐火ボードに取付けられているため、カーテンウォール用耐火ボードからナットへ伝えられる外力が分散され、カーテンウォール用耐火ボードの支持性能を高めることができる。
【００２１】
請求項６に記載の発明は、請求項５に記載の耐火ボード支持構造において、一端に前記カーテンウォール用耐火ボードの下部端面を下側から保持する保持部を備え、他端に前記ボルトが挿入される貫通孔が設けられた耐火ボード保持部材を有し、前記取付孔へ挿入されたボルトが前記貫通孔を貫通することを特徴としている。
【００２２】
請求項６に記載の発明によれば、耐火ボード保持部材の一端に設けた保持部が、カーテンウォール用耐火ボードの下部端面を下側から保持する。耐火ボード保持部材の他端にはボルトが挿入される貫通孔が設けられ、耐火ボード保持部材がボルトで建物に固定される。
これにより、寸法が大きく重いカーテンウォール用耐火ボードであっても、カーテンウォール用耐火ボードの貫通孔に過度の負担をかけずにカーテンウォール用耐火ボードを建物に取付けることができ、カーテンウォール用耐火ボードの支持性能を高めることができる。
【００２３】
請求項７に記載の発明は、請求項５に記載の耐火ボード支持構造において、前記カーテンウォール用耐火ボードの背面を支持すると共に、前記ボルトが挿入される貫通孔が設けられた背面部と、前記背面部の上端部と下端部に形成され、前記カーテンウォール用耐火ボードの上部端面と下部端面を外側から保持する保持部を備えた耐火ボード保持部材を有し、前記取付孔へ挿入されたボルトが前記貫通孔を貫通することを特徴としている。
【００２４】
請求項７に記載の発明によれば、耐火ボード保持部材の上端部と下端部に形成された保持部が、カーテンウォール用耐火ボードの上部端面と下部端面を外側から保持する。耐火ボード保持部材の背面部にはボルトが挿入される貫通孔が設けられ、耐火ボード保持部材がボルトで建物躯体に固定される。
【００２５】
これにより、寸法が大きく重いカーテンウォール用耐火ボードであっても、カーテンウォール用耐火ボードの取付金具に過度の負担をかけずに、カーテンウォール用耐火ボードを建物に取付けることができ、カーテンウォール用耐火ボードの支持性能を高めることができる。
【００２６】
請求項８に記載の発明は、請求項６又は７に記載の耐火ボード支持構造において、前記耐火ボード保持部材と前記カーテンウォール用耐火ボードの間には、緩衝材が取付けられていることを特徴としている。
請求項８に記載の発明によれば、緩衝材が耐火ボード保持部材とカーテンウォール用耐火ボードの間に設けられている。これにより、風や地震等でカーテンウォール用耐火ボードが振動しても、カーテンウォール用耐火ボードが耐火ボード保持部材から受ける損傷を防止できる。
請求項９に記載の発明は、請求項５〜８のいずれか１項に記載の耐火ボード支持構造において、前記カーテンウォール用耐火ボードに用いられる耐火用の板材が繊維混入けい酸カルシウム板であることを特徴としている。
請求項９に記載の発明によれば、カーテンウォール用耐火ボードに用いられる耐火用の板材が繊維混入けい酸カルシウム板とされている。これにより、耐火性や加工性のよいカーテンウォール用耐火ボードが提供できる。
【発明の効果】
【００２７】
本発明は、上記構成としてあるので、カーテンウォールの層間区画を構成する作業性の良いカーテンウォール用耐火ボード、及び取り付け強度の高い耐火ボードの支持構造を提供出来る。
【発明を実施するための最良の形態】
【００２８】
（第１の実施の形態）
図１、２に示すように、第１の実施の形態に係るカーテンウォール用耐火ボード１０は、耐火用の板材１２を有している。板材１２は、建物の層間区画に用いられる層間区画部材であり、繊維混入けい酸カルシウム板で形成され、取付け場所に応じて、高さＨ１、幅Ｗ１、厚さＴ１の各寸法が決定される。
【００２９】
板材１２の板面には円筒状の凹部２０が形成されている。凹部２０は深さＴ３とされ、底部に厚さＴ２を残し、内部には接合金具（接合部材）１６が取付けられている。
接合金具１６は、金属（アルミを除く）で筒状に形成され、凹部２０の底壁と当接する平面部１８を有し、平面部１８には、後述するボルト３６と螺合するナット１４の端部が接合されている。
【００３０】
ナット１４の長さはＴ４とされ、凹部２０の深さＴ３より小さく、ナット１４の先端が凹部２０から突き出ることはない。
また、接合金具１６は、平面部１８の端部から立ち上げられ、凹部の周壁と接合される立上部２６を有している。立上部２６には、固定用のネジ２２（固定部材）をねじ込むための貫通孔２４が設けられている。
【００３１】
また、凹部２０は、化粧板２８で塞がれている。化粧板２８は、板材１２と同じ材質で円柱状に形成され、中心にはナット１４と螺合されるボルト３６が挿入されるための貫通孔４８が設けられている。
このように、カーテンウォール用耐火ボード１０の板材１２には、予めナット１４が取付けられており、施工現場で、板材１２にナット１４を埋め込む作業が不要となり、作業性が向上する。
【００３２】
また、ナット１４は接合金具１６の平面部１８に固定されており、平面部１８は凹部２０の底壁と当接している。このため、平面部１８の面積を増せば、平面部１８と板材１２との接合面積を広く確保でき、カーテンウォール用耐火ボード１０が風や地震等の外力を受けても、板材１２に加えられた力を分散して接合金具１６に伝えることができる。また、底壁の板厚が小さくても、周壁面で力を伝えるので、カーテンウォール用耐火ボード１０の支持性能を高めることができる。
【００３３】
更に、接合金具１６の立上部２６に設けられた貫通孔２４から凹部２０の周壁にネジ２２をねじ込んで、立上部２６と周壁を接合している。ネジ２２は、ナット１４を中心に放射状に複数ねじ込まれており、接合金具１６を周壁に均等に接合している。これにより、ネジ２２の使用本数とネジ２２の長さ等を調節することで、立上部２６と周壁の接合強度を調節できる。なお、ネジ２２は固定部材の例示であり、カーテンウォール用耐火ボードに用いられる耐火用の板材の種類に合わせて、釘・ピン等の既存の固定部材でもよい。
【００３４】
また、接合金具１６がカーテンウォール用耐火ボード１０の片側に取り付けられているため、接合金具１６が取り付けられていない側の板面を、そのまま仕上げ面として利用でき、仕上げの手間が省ける。
【００３５】
（第２の実施の形態）
図３に示すように、第２の実施の形態に係る耐火ボード支持構造３０は、第１の実施の形態で説明したカーテンウォール用耐火ボード１０を有している。
【００３６】
カーテンウォール用耐火ボード１０は、接合金具１６が取付けられた側を、建物側（矢印Ａの方向）に向けて配置され、取付金具３２の取付孔３３に挿入されたボルト３６とナット１４が螺合されている。
【００３７】
取付金具３２は、金属（アルミ材を除く）の平板をＬ字状に折り曲げて形成され、片方の平面部を横方向に向けて、建物の構造部材であるスラブ３４の上面にボルト３８で固定されている。
【００３８】
図４、５に示すように、取付金具３２の縦方向の平面部は板材１２に沿って立ち上げられ、先端部には取付孔３３が設けられている。取付孔３３にはボルト３６が挿入され、ボルト３６とナット１４を螺合させてカーテンウォール用耐火ボード１０を支持している。このとき、取付金具３２と接合金具１６の間に化粧板２８を配置し、貫通孔４８にボルト３６を挿入することで、凹部２０を化粧板２８で覆うことができる。
【００３９】
スラブ３４の先端３４Ｅとカーテンウォール用耐火ボード１０の板材１２の間には、幅Ｌ４の隙間が生じている。この隙間の下方には、スラブ３４の下面から板材１２に至る層間塞ぎプレート４０が取付けられている。そして、層間塞ぎプレート４０の上と、取付金具３２の間には、隙間を塞ぐロックウール４２が充填されている。
【００４０】
このように、カーテンウォール用耐火ボード１０に予め取付けられたナット１４と、スラブ３４に固定された取付金具３２の取付孔３３を一致させ、取付孔３３からボルト３６を挿入してナット１４と螺合させることで取付けができるので、作業性が向上する。
【００４１】
また、スラブ３４に固定された取付金具３２で、板材１２に接合された接合金具１６を支持する構成であり、従来のアルミ枠に挟み込む方法（図示せず）や片面からインサートナットで接合する方法に比べ、カーテンウォール用耐火ボード１０の取付け強度を高めることができる。
【００４２】
更に、カーテンウォール用耐火ボード１０に風や地震等の外力が作用しても、接合金具１６と板材１２が広い面積で当接しているため、カーテンウォール用耐火ボード１０から接合金具１６に伝える外力が均一化され、カーテンウォール用耐火ボード１０の支持性能を高めることができる。
【００４３】
図６に示すように、他の実施例である耐火ボード支持構造５０は、上述の耐火ボード支持構造３０におけるカーテンウォール用耐火ボード１０及び取付金具３２を有している。
【００４４】
即ち、カーテンウォール用耐火ボード１０は、接合金具１６が取付けられた側を、建物側（矢印Ａの方向）に向けて配置され、取付金具３２の取付孔３３に挿入されたボルト３６とナット１４が螺合されている。取付金具３２は、躯体側金具４６とボルト３８で接合され、躯体側金具４６は、スラブ３４とボルト４４で固定されている。
【００４５】
躯体側金具４６は、金属（アルミ材を除く）の平板をＬ字状に２度折り曲げて形成されている。躯体側金具４６の片方の平面部は、横に向けてスラブ３４に固定され、他方の平面部は、同じく横に向けて取付金具３２と接合されている。
【００４６】
これにより、カーテンウォール用耐火ボード１０の設置位置を変更（縦方向にＶ２、横方向にＨ２）する必要が生じても、躯体側金具９０の寸法を変更することで、取付金具７８とスラブ７６の位置のずれに容易に対応できる。
【００４７】
（第３の実施の形態）
図７に示すように、第３の実施の形態に係る耐火ボード支持構造５２は、第２の実施の形態で説明した耐火ボード支持構造３０において、カーテンウォール用耐火ボード１０と取付金具３２との間に、耐火ボード保持部材５４を追加した構成である。
【００４８】
耐火ボード保持部材５４は、金属の平板で、Ｌ字状に折り曲げて形成され、Ｌ字状に折り曲げた端部５４Ｌで、カーテンウォール用耐火ボード１０の下部端面を下側から保持している。
【００４９】
耐火ボード保持部材５４の端部５４Ｌは、板材１２の厚さＴ１に相当する水平部を有し、再び先端が立ち上げられ、板材１２を挟み込んでいる。これにより、カーテンウォール用耐火ボード１０の横方向（矢印Ｘ方向）の移動を抑制できる。
【００５０】
耐火ボード保持部材５４の平面部は、カーテンウォール用耐火ボード１０の板材１２に沿って立ち上り、上部には、ボルト３６が挿入される取付孔６２が設けられている。
【００５１】
取付金具３２の取付孔３３と、耐火ボード保持部材５４の取付孔６２を重ね、ボルト３６を取付孔３３と取付孔６２に挿入させ、ナット１４と螺合させることで、耐火ボード保持部材５４でカーテンウォール用耐火ボード１０を保持できる。
【００５２】
即ち、カーテンウォール用耐火ボード１０の寸法が大きく重い場合であっても、カーテンウォール用耐火ボード１０の板材１２と接合金具１６の接合部に過度の負担をかけずに、カーテンウォール用耐火ボード１０を建物に取付けることができる。これにより、カーテンウォール用耐火ボード１０に要求される機械的強度を小さくできる。
【００５３】
なお、耐火ボード保持部材５４の幅は、カーテンウォール用耐火ボード１０と同じ幅とする必要はなく、帯状の構成でよい。他は、第５の実施の形態と同じ構成である。
【００５４】
（第４の実施の形態）
図８に示すように、第４の実施の形態に係る耐火ボード支持構造５６は、第３の実施の形態で説明した耐火ボード支持構造５２の、耐火ボード１０の周囲に複数の緩衝材５８を有している。
【００５５】
緩衝材５８は、例えばゴム材で板状に成形され、カーテンウォール用耐火ボード１０の下部、側面、ナット１４が設けられた位置等の荷重を受ける場所に所定の幅で挿入されている。
なお、耐火ボード保持部材６０は、緩衝材５８の厚さに合わせて、Ｌ字状に折り曲げる折り曲げ幅６０Ｌ等を変更している。
【００５６】
これにより、カーテンウォール用耐火ボード１０と耐火ボード保持部材６０が直接接触するのを防止でき、風や地震等でカーテンウォール用耐火ボード１０が振動しても、カーテンウォール用耐火ボード１０と耐火ボード保持部材６０との間の損傷が防止できる。
（第５の実施の形態）
図９に示すように、第５の実施の形態に係る耐火ボード支持構造６４は、第２の実施の形態で説明した耐火ボード支持構造３０において、カーテンウォール用耐火ボード１０と取付金具３２との間に、耐火ボード保持部材６６を追加した構成である。
【００５７】
耐火ボード保持部材６６は金属の平板で形成され、カーテンウォール用耐火ボード１０の背面を支持する背面部と、背面部の上端部と下端部をＬ字状に折り曲げた端部６６Ｌを有し、カーテンウォール用耐火ボード１０の背面と、上部端面と、下部端面を保持している。
【００５８】
耐火ボード保持部材６６の端部６６Ｌは、板材１２の厚さＴ１に相当する水平部を有し、再び先端がカーテンウォール用耐火ボード１０の前面に折り曲げられ、カーテンウォール用耐火ボード１０の上部端面と、下部端面を挟み込んでいる。これにより、カーテンウォール用耐火ボード１０の横方向（矢印Ｘ方向）と縦方向（矢印Ｙ方向）の移動を抑制できる。
【００５９】
耐火ボード保持部材６６の背面部は、カーテンウォール用耐火ボード１０の板材１２の背面に沿って立ち上り、ボルト３６が挿入される取付孔６８が設けられている。
【００６０】
取付金具３２の取付孔３３と、耐火ボード保持部材６６の取付孔６２を重ね、ボルト３６を取付孔３３と取付孔６８に挿入させ、ナット１４と螺合させることで、耐火ボード保持部材６６でカーテンウォール用耐火ボード１０を保持できる。
【００６１】
即ち、カーテンウォール用耐火ボード１０の寸法が大きく重い場合であっても、カーテンウォール用耐火ボード１０の板材１２と接合金具１６の接合部に過度の負担をかけずに、カーテンウォール用耐火ボード１０を建物に取付けることができる。これにより、カーテンウォール用耐火ボード１０に作用する力を小さくできる。
【００６２】
なお、耐火ボード保持部材６６の幅は、カーテンウォール用耐火ボード１０と同じ幅とする必要はなく、帯状の構成でよい。他は、第３の実施の形態と同じ構成である。
【００６３】
（第６の実施の形態）
図１０に示すように、第６の実施の形態に係る耐火ボード支持構造７０は、第５の実施の形態で説明した耐火ボード支持構造６４の、カーテンウォール用耐火ボード１０の周囲に複数の緩衝材５８を有している。
【００６４】
緩衝材５８は、例えばゴム材で板状に成形され、カーテンウォール用耐火ボード１０の上部端面、下部端面、背面、更にナット１４が設けられた位置等の荷重を受ける場所に所定の幅で挿入されている。
なお、耐火ボード保持部材７２は、緩衝材５８の厚さに合わせて、上端部と下端部にＬ字状に２度折り曲げた保持部７２Ｌを有している。
【００６５】
これにより、カーテンウォール用耐火ボード１０と耐火ボード保持部材７２が直接接触するのを防止でき、風や地震等でカーテンウォール用耐火ボード１０が振動しても、カーテンウォール用耐火ボード１０と耐火ボード保持部材７２との間の損傷が防止できる。
【図面の簡単な説明】
【００６６】
【図１】本発明の第１の実施の形態に係るカーテンウォール用耐火ボードの基本構成を示す図である。
【図２】本発明の第１の実施の形態に係るカーテンウォール用耐火ボードの接合金具の断面を示す図である。
【図３】本発明の第２の実施の形態に係る耐火ボード支持構造の基本構成を示す図である。
【図４】本発明の第２の実施の形態に係る耐火ボード支持構造の接合金具との接合構成を示す図である。
【図５】本発明の第２の実施の形態に係る耐火ボード支持構造の接合金具の断面を示す図である。
【図６】本発明の第２の実施の形態に係る耐火ボード支持構造の基本構成を示す図である。
【図７】本発明の第３の実施の形態に係る耐火ボード支持構造の基本構成を示す図である。
【図８】本発明の第４の実施の形態に係る耐火ボード支持構造の基本構成を示す図である。
【図９】本発明の第５の実施の形態に係る耐火ボード支持構造の基本構成を示す図である。
【図１０】本発明の第６の実施の形態に係る耐火ボード支持構造の基本構成を示す図である。
【符号の説明】
【００６７】
１０  カーテンウォール用耐火ボード
１２  板材
１４  ナット
１６  接合金具（接合部材）
１８  平面部
２０  凹部
２２  ネジ（固定部材）
２６  立上部
２８  化粧板
３０  耐火ボード支持構造
３２  取付金具
３３  取付孔
３４  スラブ（建物の構造部材）
５４  耐火ボード保持部材
５８  緩衝材
【図１】
2010065397.tif 000003
【図２】
2010065397.tif 000004
【図３】
2010065397.tif 000005
【図４】
2010065397.tif 000006
【図５】
2010065397.tif 000007
【図６】
2010065397.tif 000008
【図７】
2010065397.tif 000009
【図８】
2010065397.tif 000010
【図９】
2010065397.tif 000011
【図１０】
2010065397.tif 000012